(57)【特許請求の範囲】
【請求項１】
新聞、雑誌、パンフレットなどの複数枚の印刷物(P) の少なくとも二方向の側縁部(26,27,28)をトリミングするための装置で、
それぞれの縦方向軸線(1a,2a) 回りに回転駆動可能な第一処理ドラムおよび第二処理ドラム(1,2) を前後に並べて配置し、
前記ドラムの各々には、トリミングされる印刷物(P) を収容するために少なくとも一つの側部が開放されている収容区画室(3,15)を前記ドラムの半径方向に設けるとともに、
内側にはトリミング作業中に印刷物(P) への押付制御可能なクランプ装置(48)がそれぞれ一つずつ配置され、かつ、互いに分離される区画壁(4,16)を設け、
前記第一処理ドラム(1) は水平方向の回転軸(1a)とともに配置され、その収容区画室(3) はそれぞれ、前記第一処理ドラム(1) の外周(5) および少なくとも一方の端側部(6,7) において開放しており、該開放端側部(6,7) には、対応する前記収容区画室(3) に入っている印刷物(P) の一方向の側縁部(26,27) におけるトリミングのために所定の固定カッター部材(11,12;13,14) と相互に動作させ合う共転カッター部材とを備え、
前記第二処理ドラム(2) には収容区画室(15)で開放される側部(17)を設け、該側部(17)には、対応する収容区画室(15)に入っている前記印刷物(P) の他方向の側縁部(28)におけるトリミングのために所定の固定カッター部材(20,21) と相互に動作させ合う共転カッター部材(44)が設けられ、
第二処理ドラム(2) は水平方向の軸線(2a)を備えるとともに、前記第二処理
ドラム(2) の外周(17)で収容区画室(15)に前記カッター部材(20,21) が設けられており、
また二つの処理ドラム(1,2) の間には、一方の処理ドラム(1または2)でトリミングされた印刷物(P) を他方の処理ドラム(2または1)に搬送する搬送装置(29)が設けられていることを特徴とする印刷物のトリミング装置。
【請求項２】
第一処理ドラム(1) の収容区画室(3) は二つの端側部(6,7) で開放するとともに、該端側部(6,7) の各々に共転カッター部材が設けられており、
また前記第一処理ドラム(1) の各端側部(6,7) に隣接して配置され、その各々が前記第一処理ドラム(1) の収容区画室 (３) 内の移動カッター部材と相互に動作し合う固定カッター部材(11,12;13,14) を設けていることを特徴とする請求項１に記載の印刷物のトリミング装置。
【請求項３】
循環引張部材(30)上に配置されており、第一処理ドラム(1) および第二処理ドラム(2) の一方でトリミングされた印刷物(P) を、他方の処理ドラム(2または1)の収容区画室(15,3)に搬送するために、把持するグリッパ(31)が設けられ、かつ、いずれかの処理ドラム(1または2)で駆動される搬送装置(29)を設けていることを特徴とする請求項１に記載の印刷物のトリミング装置。
【請求項４】
第二処理ドラム(2) に割り当てられており、動作位置から不動作位置に、前記第二処理ドラム(2) の回転軸線(2a)に対して直角をなす回動軸線(46)回りに回動する固定カッター部材(20,21) を設けていることを特徴とする請求項１に記載の印刷物のトリミング装置。
【請求項５】
回動軸線(46)回りに回動可能な固定カッター支持部材(60)に取り付けられているカッターバー(49)に固定カッター部材(20,21) を締着し、
該固定カッター部材(20,21) が動作位置にあるとき、第二処理ドラム(2) 上に設けられた環状の走行表面(51)上でカッターバー(49)を支持するために、前記回動軸線(46)とは反対側の位置の端部にローラ(50)を回転可能に取り付けていることを特徴とする請求項４に記載の印刷物のトリミング装置。
【請求項６】
相互に動作し合う複数種類のカッター部材(20,21;44)の切断エッジ（20′，44a)を互いに鋭角 (α) に形成させるために、第二処理ドラム(2) に割り当てられたカッター部材(20,21) 切断エッジ（20′）を、収容区画室(15)内のカッター部材(44)の切断エッジ(44a) に対して斜めにセットしていることを特徴とする請求項１に記載の印刷物のトリミング装置。
【請求項７】
第二処理ドラム(2) の収容区画室(15)内に、収容区画室(15)の内側方向に変位可能に取り付けられているカッター部材(44)と、
前記第二処理ドラム(2) が回転しているとき、前記カッター部材(44)の切断エッジ(44a) を固定カッター部材(20,21) の領域で、平面の移動経路(55)に沿って案内するために前記カッター部材(44)にしたがって動作する制御手段(52,52a,53) と、が設けられていることを特徴とする請求項１に記載の印刷物のトリミング装置。
【請求項８】
二つの処理ドラム(1,2) の上流側に、トリミングされる印刷物(P) を一方の処理ドラム(1または2)に送るための送りコンベア(22)が配置されており、また他方の処理ドラム(2または1)の下流側に、トリミングを完了した印刷物(P) を送り出すための取出コンベア(34)が配置されていることを特徴とする請求項１に記載の印刷物のトリミング装置。
【請求項９】
送りコンベア(22)の上流側に配置されており、印刷物(P) を前進させるとともに前記送りコンベア(22)に移送し、さらに取出コンベア(34)からトリミングを完了した前記印刷物(P) を受け取るとともに、後工程に運搬する運搬装置(40)を有していることを特徴とする請求項８に記載の印刷物のトリミング装置。
【請求項１０】
折り曲げられ、または、綴じられている複数枚の印刷物(P) をトリミングする装置であって、該印刷物(P) が、
第一処理ドラム(1) において折曲縁部(25)または綴じた縁部に対して直角をなす二つの側縁部(26,27) がトリミングされ、
第二処理ドラム(2) において折曲縁部(25)または綴じた縁部に平行な側縁部(28)がトリミングされる請求項１に記載の印刷物のトリミング装置。
【発明の詳細な説明】
【０００１】
【産業上の利用分野】
本発明は、シート状のもの、とくに新聞、雑誌、パンフレットなどの比較的多数枚の印刷物の少なくとも二側縁部をトリミングするために使用する印刷物のトリミング装置に関するものである。
【０００２】
【従来の技術】
この形式の公知の装置  （ヨーロッパ特許庁・特許公開公報第  ０  ３６７  ７１５号、および、対応の米国特許第５，１１３，７３１  号）  の場合、まず三方をトリミングしようとする比較的多数枚の折り曲げ印刷物を、回転軸線が水平方向に延在している第一処理ドラムに送り、そこで印刷物の折曲縁部に対して直角をなす二つの互いに平行な側縁部がトリミングされる。
【０００３】
二つの側部がトリミングされた印刷物は、つぎに重力によって第二処理ドラムの収容区画室内に落下するのであるが、このドラムは、回転軸線が垂直方向に延在するようにして第一処理ドラムの下方に配置されている。この第二処理ドラム内で、印刷物の折曲縁部に平行な第三側縁部がトリミングされる。
【０００４】
第二処理ドラムの収容区画室は、ドラムの二つの端側部で開放している。第二処理ドラムの第一処理ドラム側の端側部において、印刷物は第二処理ドラムの収容区画室内に導入される一方、この第二処理ドラムの他方の端側部において、この端側部に配置された固定カッター部材の補助によってトリミングされる。
【０００５】
【発明が解決しようとする課題】
この従来装置の場合、一方の処理ドラムの収容区画室から、第二処理ドラムの収容区画室への印刷物の移送が自由落下によって正確に行われるように、二つの処理ドラムを互いに対して、きわめて特殊な配列にする必要がある。
【０００６】
しかしながら二つの処理ドラムを調和した相互配列にした場合にあっても、第一処理ドラムから第二処理ドラムに印刷物を移送するとき、比較的高速に処理した場合には問題がある。
【０００７】
同じことが、先行公報ではないが、ヨーロッパ特許庁・特許公開公報第  ０  ６０２
５９３号に記載されている装置にも当てはまる。
【０００８】
この装置と上記第  ０  ３６７  ７１５号公報の上記装置との違いは、垂直の回転軸線を備えた第二処理ドラムが、水平方向の回転軸線を備えた第一処理ドラムの上流側に配置されていることだけである。
【０００９】
すなわち上記第  ０  ６０２  ５９３号公報の装置の場合、まず印刷物の折曲縁部に平行な側縁部がトリミングされてから、印刷物が自由落下で、その下方に配置されている水平方向軸線を備えた第一処理ドラムに移され、そこで印刷物は折曲縁部に対して、直角をなす二つの互いに平行な側縁部がトリミングされる。
【００１０】
本発明の目的は、上記形式であるが、二つの処理ドラムの相互配列が自由であり、したがって印刷物を二つの処理ドラム内に分断なく導入できる装置を提供することである。
【００１１】
【課題を解決するための手段】
本発明によればこの目的は、請求項１の特徴部分の機構によって達成される。また回転軸線が水平になるように第二処理ドラムを配置することによって、その第二処理ドラムの収容区画室内への印刷物の導入を確実に行うことができる。
【００１２】
二つの処理ドラムの間に搬送装置を配置して、一方の処理ドラムでトリミングされた印刷物を第二処理ドラムの収容区画室に移送することによって、二つの処理ドラムの相互配列をさらに自由にすることができる。本発明による装置の好適な構造が、従属請求項に記載されている。
【００１３】
【作用】
比較的多数枚の折り曲げられた印刷物Ｐをトリミングするため、二つの処理ドラム１，２が前後に並べて配置され、駆動部８，１８によって水平方向軸線１ａ，２ａ回りに回転駆動される。
【００１４】
各処理ドラム１，２は、トリミングされる印刷物Ｐを収容する半径方向の収容区画室３，１５を設けている。
【００１５】
第一処理ドラム１の各端側部６，７に二組の固定カッター部材１１，１２；１３，１４  が配置されており、それぞれ一方のカッター部材が動作位置にある。
【００１６】
そのカッター部材は、収容区画室３の端側部で区画壁４に締着されたカッター部材と相互に動作し合う。
【００１７】
第一処理ドラム１では、印刷物Ｐの折曲縁部２５に対して直角をなす側縁部２６，２７がトリミングされる。
【００１８】
第二処理ドラム２の外周１７に二つの固定カッター部材２０，２１が配置されており、そのうちのカッター部材２０が動作位置すなわち切断位置にあり、個々の収容区画室１５に割り当てられて収容区画室１５の外周上に配置されているカッター部材と相互に動作し合う。
【００１９】
印刷物Ｐの折曲縁部２５の反対側に位置する開放側縁部２８が第二処理ドラム２でトリミングされる。
【００２０】
第一処理ドラム１でトリミングされた印刷物Ｐは、循環引張部材３０上に等間隔に配置されたグリッパ３１を備えている搬送装置２９によって、第一処理ドラム１から第二処理ドラム２に移送される。
【００２１】
【実施例】
つぎに添付の図面を参照しながら本発明の好適な実施例を詳細に説明する。図１に示されている本発明の印刷物のトリミング装置は、比較的多数枚の折り曲げられた印刷物Ｐの二方向・三つの側縁部をトリミングするための第一実施例で、第一処理ドラム１と、第一処理ドラム１の下流側に配置された第二処理ドラム２とを有している。
【００２２】
二つの処理ドラム１，２は、それぞれ縦方向軸線、いいかえればドラムの軸線に一致しているそれらの回転軸１ａ，２ａが水平方向に延在するように配置されている。
【００２３】
第一処理ドラム１では、印刷物のいわゆる先縁部および末縁部が切断、すなわち印刷物の折曲縁部に対して直角をなす側縁部に沿って印刷物がトリミングされる。
【００２４】
第二処理ドラム２では、いわゆる前縁部が切断、すなわち印刷物の折曲縁部に平行な側縁部がトリミングされる。
【００２５】
第一処理ドラム１は、構造および機能の点からいえば、先縁部および末縁部切断用で、上記第  ０  ６０２  ５９３号公報に詳細に記載されている処理ドラムに対応している。したがって、この第一処理ドラム１のさらに正確な説明については、この第  ０  ６０２  ５９３号公報を参照されたい。
【００２６】
第一処理ドラム１には、互いに区画壁４で分離されている多数の収容区画室３が半径方向に設けられている。
【００２７】
各収容区画室３内には、切断作業中に印刷物Ｐを区画壁４に押し付けることによって、それをしっかり固定するためにクランプ装置（図示せず）が設けられている。
【００２８】
収容区画室３は第一処理ドラム１の外周５と、二つの端側部６，７とにおいて開放状態になる。
【００２９】
第一処理ドラム１は、第一処理ドラム１の外周上に配設された歯付リムとともに、それぞれ噛み合う二つのピニオン９，１０を設けた駆動部  （一部のみ示す）  ８によって矢印Ｂの方向に駆動される。
【００３０】
第一処理ドラム１の各端側部６，７には、それぞれ固定カッター部材１１，１２  および固定カッター部材１３，１４  が一組づつ配置されており、これらは、それぞれ収容区画室３内に配置され、それと共転カッター部材と相互に動作し合う。
【００３１】
いずれの場合であっても、二組の固定カッター部材１１，１２；１３，１４  のうち、一方の組のカッター部材が動作位置にあれば、他方の組のカッター部材は不動作位置にある。
【００３２】
これら固定カッター部材１１，１２；１３，１４  のさらに正確な説明、そして収容区画室３内に配置され、それらと相互に動作し合う回転カッター部材のさらに正確な説明については、上記第  ０  ６０２  ５９３号公報を参照されたい。それから第一処理ドラム１の端側部６，７上で印刷物Ｐの側縁部をトリミングする方法についても明らかになる。
【００３３】
第二処理ドラム２にも、第一処理ドラム１と同様、互いに区画壁１６で分離されている多数の収容区画室１５が、半径方向に設けられている。
【００３４】
各収容区画室１５内にはクランプ装置（図示せず）が設けられているが、これについては他の図面を参照しながら後述する。
【００３５】
収容区画室１５は、第二処理ドラム２の外周１７で開放しているが、第二処理ドラム２の端側部でも開放してもよい。
【００３６】
第二処理ドラム２は、駆動部  （一部のみ示す）  １８によって矢印Ｃの方向に駆動される。この駆動部１８は、第一処理ドラム１の場合と同様、第二処理ドラム２の外周上の歯付リムと噛み合うピニオン１９を設けている。
【００３７】
二つの処理ドラム１，２用の二つの駆動部８，１８は共通の駆動モータを備えることができる。第二処理ドラム２を外周（図示せず）で駆動するのではなくて、中央、すなわち回転軸２ａを定める軸で駆動することも考えられる。
【００３８】
第二処理ドラム２の外周上に二つの固定カッター部材２０，２１が配置されており、そのうちのカッター部材２０は動作位置に示されているが、他方のカッター部材２１は不動作位置に示されている。
【００３９】
それぞれ動作位置にある固定カッター部材２０  （またはカッター部材２１）  は、個々の収容区画室１５内に配置されたカッター部材と相互に動作し合う。
【００４０】
第二処理ドラム２の外周１７で行われる切断作業については、図４ないし図８を参照しながら、ある程度詳細に説明する。
【００４１】
トリミングされる印刷物Ｐは、送りが矢印Ｄの方向である送りコンベア２２によって第一処理ドラム１の収容区画室３に送られる。
【００４２】
この送りコンベア２２は、実際に公知の構造であって、制御可能なグリッパ２４を等間隔に締着した循環引張部材２３を備えている。これらのグリッパ２４は、印刷物Ｐをしっかり保持する。
【００４３】
図１に示されているように、印刷物Ｐは折曲縁部を前にした瓦状に重なった形態で送られる。第一処理ドラム１においてトリミングされる印刷物Ｐの二つの縁部は一方向の側縁部２６，２７とする。
【００４４】
折曲縁部２５に平行、かつ、印刷物Ｐがグリッパ２４で保持される縁部を他方向の側縁部２８とする。送りコンベア２２は、それぞれ一つの印刷物Ｐを第一処理ドラム１の一つの収容区画室３内に、その折曲縁部２５を前側に導入できるように所定進路に沿って動かされる。
【００４５】
二つの処理ドラム１，２の間には、搬送方向Ｅに移動し、やはり公知の形式の構造である搬送装置２９が設けられている。搬送装置２９も、グリッパ３１を等間隔に締着した循環引張部材３０を備えている。
【００４６】
搬送装置２９は、第一処理ドラム１の外周上に配置された上述した歯付リムと噛み合う駆動ピニオン３３を設けた駆動部３２によって駆動される。このように、搬送装置２９は第一処理ドラム１によって駆動される。
【００４７】
第一処理ドラム１で二つの側縁部２６，２７がトリミングされた印刷物Ｐは、その側縁部２８で搬送装置２９のグリッパ３１によって把持され、第二処理ドラム２によって搬送される。
【００４８】
搬送装置２９は、印刷物Ｐをそれぞれ個別に第二処理ドラム２の収容区画室１５内に、その折曲縁部２５を前にして導入できるように設計されている。
【００４９】
印刷物Ｐの側縁部２８がトリミングされた後、すなわち第二処理ドラム２の回転方向Ｃに見たときに固定カッター部材２０，２１の後、トリミング完了印刷物Ｐが矢印Ｆの搬送方向に移動する取出コンベア３４によって送り出される。
【００５０】
この取出コンベア３４は、搬送装置２９と同じ構造であり、やはり循環引張部材に締着されたグリッパを備えている。
【００５１】
取出コンベア３４は、第二処理ドラム２の外周上に配置されており、上述した歯付リムと噛み合う駆動ピニオン３６を設けた駆動部３５によって駆動される。このように、取出コンベア３４は第二処理ドラム２によって駆動される。
【００５２】
本発明による装置の第二実施例が、図２に側面図で、図３に平面図で示されており、この第二実施例が図１の第一実施例と異なっている点は、二つの処理装置１，２の順序が逆になっていることである。
【００５３】
すなわち、図２の装置の場合、第二処理ドラム２が第一処理ドラム１の上流側に配置されている。それ以外の点では、二つの処理ドラム１，２は、図１で説明した通りの構造である。
【００５４】
さらに図２の第二実施例の場合、搬送装置２９および取出コンベア３４の案内が、図１の第一実施例とは幾分異なっており、いいかえれば図２では、二つの処理ドラム１，２からの印刷物の取り出しが、図１の第一実施例の場合とは幾分、異なっている。
【００５５】
二つの処理ドラム１，２は、床上に支持されたフレーム３７内に、それぞれの軸線１ａ，２ａの回りに、それぞれ矢印Ｂおよび矢印Ｃの方向に回転可能に取り付けられており、図１で説明したような共通の駆動部３８で駆動される。
【００５６】
送りコンベア２２は、概略的に示されているだけの駆動部３９を介して第二処理ドラム２によって駆動される。
【００５７】
トリミングされる印刷物Ｐは、送り手段４０によって搬送方向Ｇに送りコンベア２２に送られ、この送り手段も公知の構造であり、また循環引張部材に等間隔に締着された個別制御可能なグリッパを備えている。
【００５８】
図２からわかるように、送り手段４０は、取出コンベア３４からトリミング完了印刷物Ｐを受け取り、それらをさらに搬送するためにも使用できる。
【００５９】
この構造では、印刷物Ｐを取出コンベア３４から送り手段４０に移すときに、不良または破損印刷物Ｐの分離が可能化される。
【００６０】
第二処理ドラム２の構造および固定カッター２０の配置が図４に示されており、これは図２のＩＶ−ＩＶ線に沿った第二処理ドラム２の断面図である。
【００６１】
図４に示されているように、第二処理ドラム２は、端側部に二つの取付部材４１，４２を備えており、これらに個々の収容区画室１５間の区画壁１６を形成する壁部材１６ａ，１６ｂが締着されている。
【００６２】
各収容区画室３内には、様々な様式サイズの印刷物Ｐに合わせる調節を行うために、矢印Ｈの方向に調節可能なベース部材４３が設けられている。
【００６３】
すべての収容区画室１５のベース部材４３の調節は、中央調節機構（図示せず）から行うのが好ましい。収容区画室１５内に入っている印刷物Ｐが図４には一点鎖線で示されている。
【００６４】
各収容区画室３内の二つの取付部材４１，４２には共転カッター部材としてのカッター部材４４が締着されており、その切断エッジ４４ａは第二処理ドラム２の外周上に配置され、本実施例では収容区画室１５の全幅に渡って延在している。
【００６５】
ベース部材４３は、印刷物Ｐの側縁部２８の被切断部位４５が、カッター部材４４の切断エッジ４４ａから突出するように調節される。
【００６６】
上述したように回転カッター部材４４は、固定カッター部材２０と相互に動作し合うが、この固定カッター部材２０は、回動軸線４６回りに回動できるようにして固定ホルダ４７に取り付けられている。
【００６７】
カッター部材２０は、以下に説明するようにして、第二処理ドラム２の外周上の位置から矢印Ｉの方向に回動して、図４に一点鎖線で示されている不動作位置に移動することができる。
【００６８】
固定カッター部材２０の構造および配置の第一実施例を、第二処理ドラム２を詳細に示している図５を参照しながら説明する。
【００６９】
きわめて概略的な図５において、カッター部材４４は、トリミングされる印刷物Ｐを配列クランプ制御装置４８によって押し付けるための区画壁１６の一部を形成している。
【００７０】
カッター部材４４は、第二処理ドラム２が矢印Ｃの方向に回転するとき、それらの切断エッジ４４ａが第二処理ドラム２の外周１７上の円筒形外表面に沿って移動するようにセットされている。
【００７１】
固定カッター部材２０は、その切断エッジ２０′を、上述した移動に伴って接近してくるカッター部材４４側に向けてホルダ４７に締着されている。
【００７２】
この構造では、図７に示されているように、カッター部材２０が第二処理ドラム２の移動方向に対して角度αだけ傾斜してセットされており、印刷物Ｐの被切断部位４５をはさみ状に切り取るために、収容区画室１５内の回転カッター部材４４と協働する。
【００７３】
固定カッター部材２０の切断エッジ２０′を第二処理ドラム２の外周１７に対し、きわめて接近させて配置しなければならないため、カッター部材２０の第二処理ドラム２側の側部２０ａを、第二処理ドラム２の半径にほぼ一致させる曲率半径で、湾曲させる構造にする必要がある（図５参照）。
【００７４】
すなわち、固定カッター部材２０の側部２０ａに研摩工具などによって機械加工が加えられなければならない。
【００７５】
図６および図７に示されている第二実施例の場合、そのような固定カッター部材２０に機械加工をすることなく、回転カッター部材４４を制御している。図６は図５に対応する図面であるが、図７は図６の矢印Ａの方向に見た図面である。
【００７６】
図７からわかるように、固定カッター部材２０は、ホルダ４７に対して回動軸線４６回りに回動可能に取り付けられているカッターバー４９に締着されている。
【００７７】
カッターバー４９には回動軸線４６の反対側において偏心取付型ローラ５０が取り付けられており、これは本実施例ではボールベアリングで形成されている。
【００７８】
図８を参照しながら後述するように、ローラ５０は、制御ガイド５２に形成された走行表面５１に押し付けられている。
【００７９】
図６からわかるように、この制御ガイド５２は、カッター部材４４の移動を制御するために働くものである。
【００８０】
カッター部材４４は、半径方向への変位が可能に取り付けられており、第二処理ドラム２が矢印Ｃの方向に回転するとき、制御ガイド５２上を走行する制御ローラ５３に連結される。
【００８１】
このように制御ローラ５３および制御ガイド５２が相互に動作し合うとき、カッター部材４４は、反対方向に働く圧縮ばね５４の動作、すなわち弾性力で押し戻される結果、回転カッター部材４４の切断エッジ４４ａが固定カッター部材２０の領域内で平面的な移動経路５５に沿って移動する。
【００８２】
そのため、対応の固定カッター２０の下側２０ａを平面的な構造にすることができる。制御ローラ５３を確実に案内できるようにするため、第二制御ガイド５２ａを設けてもよい。
【００８３】
図７に示されているように固定カッター部材２０の切断エッジ２０′は、上述したように回転カッター部材４４、および、その切断エッジ４４ａの移動方向Ｃに対して角度αだけ傾斜させてセットされている。
【００８４】
図７に示されているように、カッター部材２０をこのような構造にすることによって、はさみによって実行される切断と同じ切断結果が得られる。すなわち、側縁部２８のトリミングが、側縁部２６で始まって、反対の側縁部２７まで続く。
【００８５】
図８は、固定カッター部材２０とともに第二処理ドラム２の領域を通る軸方向断面を示しており、ここでカッター部材２０の取付部について詳細に説明する。カッター取付部は、上記第  ０  ６０２  ５９３号公報のとくに図４Ｂ、５〜９に示されているものに酷似している。
【００８６】
図８には、図５の第一実施例と同じカッター部材２０が示されているが、カッター取付部に関連して図７も参照する。
【００８７】
図８に部分的に示されている第二処理ドラム２には、図４の取付部材４１，４２に対応する支持リング５６，５７が端側部に配置されている。支持リング５６の外周には、第二処理ドラム２用の駆動部１８の駆動ピニオン  （図１参照）  １９と噛み合う歯付リム５８が設けられている。
【００８８】
図４を参照しながら説明したように、各収容区画室１５には、トリミングされる印刷物Ｐの様式に合わせるため、矢印Ｈの方向に調節可能なベース部材４３が設けられている。
【００８９】
各収容区画室１５内には、図５および図６に示されているように、二つの支持リング５６，５７に締着されているカッター部材４４に平行に延在したクランプストリップ５９を備えるところの配列クランプ制御装置４８が設けられている。
【００９０】
配列クランプ制御装置４８の制御については、上記第  ０  ６０２  ５９３号公報を参照されたい。
【００９１】
このクランプストリップ５９により、トリミングされる印刷物Ｐのトリミングすべき側縁部２８の領域が、区画壁１６およびカッター部材４４に押し付けられる。
【００９２】
さらにローラ５０用の走行経路５１を有するリングは、支持リング５６に締着されている。このローラ５０はカッターバー４９に対して偏心し、すなわち調節可能に取り付けられている。
【００９３】
カッターバー４９はカッター部材２０を支持しており、ホルダ４７に締着されたカッター支持部材６０内に、回動軸線４６回りに回動可能に取り付けられている。
【００９４】
カッターバー４９は動作機構６１によって、カッター部材２０とともに動作位置、すなわち図８に示されている切断位置から、不動作位置に矢印Ｉの方向に回動することができる。
【００９５】
動作機構６１には、そのピストンロッド６２ａをトグルレバー装置６３に連結しているシリンダ／ピストン装置６２が設けられており、トグルレバー装置６３は圧縮ばね６４を包含している。トグルレバー装置６３はカッターバー４９に連結されている。
【００９６】
ばね６４によって、カッターバー４９はローラ５０とともに、走行経路５１に押し付けられ、こうして位置決めされる。動作機構６１の構造および動作モードのさらに正確な説明については、上記第  ０  ６０２  ５９３号公報を参照されたい。
【００９７】
切り離された帯材を抜き取るための抜取装置６５は、カッター部材２０に割り当てられている。
【００９８】
この抜取装置６５には、固定カッター部材２０と移動カッター部材４４との間の切断ギャップに向かって開口しているマウスピース  （図８には示されていない）  に連結されている吸込ダクト６６を設けている。
【００９９】
カッター部材４４が弾性的に取り付けられている図６および図７に示されている第二実施例の場合、図８のものとは異なって、カッターバー４９および配列クランプ制御装置４８が弾性的に取り付けられている。
【０１００】
さらに制御ローラ  （図６および図７参照）  ５３用の固定制御ガイド５２もまた設ける必要がある。しかしながらホルダおよび固定カッター部材２０用の取付部は、図８に示されているものと同じである。
【０１０１】
図１および図２に示されている二つの装置の動作モードは、以上の説明から充分に明らかになるであろう。
【０１０２】
要約すると、第一処理ドラム１では、印刷物Ｐの二つの対向側縁部２６，２７のトリミングが同時に、または、順次に実施され、第二処理ドラム２では、第３側縁部がトリミングされる。
【０１０３】
この構造では、二つの切断作業の順序を自由に選択することができる。以下に、一定の変更例を簡単に説明する。図示のように第一処理ドラム１で印刷物Ｐの二つの側縁部２６，２７をトリミングしないで、一方だけの側縁部２６（または２７）の切断を行うことも可能である。
【０１０４】
もちろん上記装置で、別の形態の製品を、たとえば綴じた製品で折り曲げたもの、または、折り曲げていないものをトリミングすることもできる。
【０１０５】
印刷物Ｐは図１および図２に示されている位置とは異なった位置で、とくに図１および図２に示されている位置から９０度回転した位置で二つの処理ドラム１，２に挿入してもよい。
【０１０６】
上記装置には、二つの処理ドラム１，２を個別にセットアップできるという利点、すなわち一方の処理ドラムでトリミングされた印刷物を他方の処理ドラムに移送するために搬送装置を設けており、その進路を広範囲で自由に選択できるために、処理ドラムの相互位置が事前に決定されることがない。
【０１０７】
二つの処理ドラム１，２は、それぞれ回転軸１ａ，２ａを水平にして配置されているので、印刷物Ｐを二つの処理ドラム１，２のそれぞれの収容区画室３，１５内に、ドラムの上部でほぼ半径方向に導入することができる。
【０１０８】
これによって、印刷物Ｐを収容区画室３，１５内に制御状態でうまく導入することができる。
【０１０９】
印刷物Ｐの一側縁部だけをトリミングしたい場合、一方の第一処理ドラム１または他方の第二処理ドラム２の切断構造部を動作させない。
【０１１０】
【発明の効果】
本発明は上記のように、回転軸が水平の第一処理ドラムおよび第二処理ドラムを前後に並べて配置し、ドラムの各々には、印刷物を半径方向に収容するための収容区画室を、印刷物のクランプ装置とともに設け、さらに、各ドラム間で互いに異なる向きの側縁部をトリミングするための固定カッター部材と、これに相互に動作させ合う共転カッター部材とを備え、また二つの処理ドラム間には、トリミング済の印刷物を他方の処理ドラムに搬送する搬送装置を設け、印刷物を自由落下などの手段で移送しないので、二つの処理ドラムの配置に係る制限および移送速度に係る制限の緩和を図ることができる。
【０１１１】
請求項２に記載の構成では、収容区画室に収容された印刷物が、第一処理ドラムの回転に伴い、収容区画室内の移動カッター部材との相互動作で、共転カッター部材および固定カッター部材によって、二つの端側部でトリミングされる。
【０１１２】
請求項３に記載の構成では、トリミング済の印刷物を、第一処理ドラムおよび第二処理ドラムのいずれか一方動作に伴い、搬送装置がグリッパによって一方のドラムの収容区画室から、他方のドラムの収容区画室に搬送することができ、二つの処理ドラムの配置に係る制限が、より緩和される。
【０１１３】
請求項４に記載の構成では、固定カッター部材を回動軸線回りに沿って、動作位置から不動作位置に回動することにより、印刷物の被切断部位に対する位置決め作業を、第二処理ドラムにおいて確実かつ迅速に実施できる。
【０１１４】
請求項５に記載の構成では、固定カッター支持部材を回動軸線回りに回動させながら、ローラを回動軸線とは反対側の位置の端部で、カッターバーを走行表面上に支持させることだけで、固定カッター部材を動作位置に対して容易に位置決めでき、作業性の低減を抑止する。
【０１１５】
請求項６に記載の構成では、第二処理ドラムに割り当てられたカッター部材の切断エッジを、収容区画室内のカッター部材の切断エッジに対して斜めにセットさせることにより、切断エッジを被切断部位に対して鋭角に当接させるので、印刷物の切り口が鋭利かつ確実に形成され、トリミングの品質を安定させる。
【０１１６】
請求項７に記載の構成では、カッター部材は収容区画室の内側方向に変位させて、収容区画室内で位置決めされ、第二処理ドラムの回転時には制御手段がカッター部材の切断エッジを固定カッター部材の領域で、平面の移動経路に沿って案内するため、第二処理ドラムにおいて確実にトリミングされる。
【０１１７】
請求項８に記載の構成では、送りコンベアがトリミングされる印刷物を一方の処理ドラムに搬入し、また取出コンベアは他方の処理ドラムからトリミングを完了した印刷物を搬出するので、トリミング作業の自動化が容易に図られる。
【０１１８】
請求項９に記載の構成では、運搬装置は、トリミングされる印刷物を送りコンベアに搬入し、かつ、取出コンベアからトリミングを完了した印刷物を受け取ったのちに後工程に運搬するので、トリミング作業の自動化が容易に図られる。
【０１１９】
請求項１０に記載の構成では、第一処理ドラムおよび第二処理ドラムにより、折り曲げられ、または、綴じられている複数枚の印刷物の互いに直交し、かつ、異なる二方向の側縁部をトリミングすることができる。
【図面の簡単な説明】
【図１】本発明による装置の第一実施例の斜視図である。
【図２】本発明による装置の第二実施例の側面図である。
【図３】図２の装置の平面図である。
【図４】図２のＩＶ−ＩＶ線に沿った断面図である。
【図５】第一実施例の固定カッター部材を備えた一方の処理ドラムの詳細図である。
【図６】第二実施例の固定カッター部材を備えた処理ドラムの詳細図である。
【図７】図６の処理ドラムを図６の矢印Ａの方向に見た図である。
【図８】固定カッター部材とともに一方の処理ドラムの領域を通る軸方向断面図である。
【符号の説明】
１  第一処理ドラム
２  第二処理ドラム
１ａ，２ａ  回転軸
３，１５  収容区画室
４，１６  区画壁
１１，１２；１３，１４；２０，２１  固定カッター部材
２６，２７，２８  印刷物側縁部
２９  搬送装置
４４  回転カッター部材
４８  配列クランプ制御装置
Ｐ  印刷物
【図１】
0003627154.tif 000002
【図２】
0003627154.tif 000003
【図３】
0003627154.tif 000004
【図７】
0003627154.tif 000005
【図４】
0003627154.tif 000006
【図５】
0003627154.tif 000007
【図６】
0003627154.tif 000008
【図８】
0003627154.tif 000009